(57)【特許請求の範囲】
【請求項１】
外側レールと、該外側レールとボールリテーナーを介して互いに摺動自在となした内側レールよりなり、ボールリテーナーの基板に、内側レールの摺動範囲を規制するリテーナーストッパーが内側レールのボール案内溝側に突出して形成され、内側レールの基板に、上記リテーナーストッパーに当接可能な位置に内側レールストッパーが形成され、内側レールの最大伸長時に、リテーナーストッパーと内側レールストッパー間に位置する弾性材料からなる消音部材を内側レールに着脱自在に設けたスライドレールの消音装置において、消音部材は、内側レールの最大伸長時にリテーナーストッパーに当接する第１当接面と、嵌入溝と、第２当接面と、内側レールの摺動時にボールリテーナーの基板に接触しない厚みに形成された連設部と、内側レールの基板側で折曲片側の第１当接部の角部から突出し、内側レールの基板と折曲片の角部内面に圧接する圧接突縁が一体に形成され、内側レールストッパーが、ボールリテーナーの基板が通過可能な所定間隔を有して、内側レールの基板後端部で、ボール案内溝側両端部を外側レールの基板方向に折り曲げて形成されているときは、前記消音部材は、内側レールストッパーに嵌入溝が嵌入して取付けられ、第２当接面が内側レールの収納時に外側レールの後端ストッパーに当接し、内側レールストッパーが、ボールリテーナーの基板が通過可能な所定間隔を有して、内側レールの基板所定位置に摺動方向を基線として外側レールの基板方向に突出して形成されている時は、圧接突縁が内側レールの基板と折曲片の角部内面に圧接して内側レールストッパーの伸長方向側に位置して取付けられ、内側レールが最も引き出された時、前記嵌入溝がクッション効果を発揮する事を特徴とするスライドレールの消音装置。
【発明の詳細な説明】
【０００１】
【発明の属する技術分野】
本発明は、スライドレールの消音装置に関するものである。
【０００２】
【従来の技術】
従来、スライドレールは、外側レールと、該外側レールとボールリテーナーを介して互いに摺動自在となした内側レールよりなり、外側レールの基板前端を内側方向に折り曲げて外側レール前端ストッパーが形成され、内側レールの基板後端を内側方向に折り曲げて内側レール後端ストッパーが形成され、内側レールが引き出されて、内側レール後端ストッパー内面とボールリテーナーの後端が、ボールリテーナーの前端面と外側レール前端ストッパーの内面が、衝突した状態で最大伸長状態となるが、この時、ストッパーとボールリテーナーの衝突により不快な金属音が発生していた。
そして、この金属音は静寂さが必要な場所では重大な問題であり、そのような場所で使用される機器には使用する事が出来なかった。
【０００３】
この問題を解決するため、ボールリテーナーの前後端部に摺動方向に突出する緩衝部材を設けたスライドレールが提供されてきた。（実開昭５９−５９１４６号）
しかしながら、上記スライドレールは、スライドレールの最大伸長はボールリテーナーの長さに左右され、最大伸長を大きくする為、ボールリテーナーを短く形成すると、スライドレールの最短縮小状態（外側レールと内側レールが重合した状態）で、内側レールと外側レールがボールリテーナーを中心として、内側レールの摺動方向両端部が上下方向にガタ付き、安定性、強度面で問題があり、最大伸長状態を所望通り大きくする事が出来ず、スライドレールとして使用範囲に限界があった。
さらに、緩衝部材によってボールリテーナー全体の厚みが大きくなり、内側レールの内面側から部材との連結に用いられる連結ネジの頭部が、摺動時にボールリテーナーに衝突する恐れがあった。この為、市販のものが使用出来ず、特殊なネジが必要となり、コストアップの要因となっていた。
【０００４】
【発明が解決しようとする課題】
本発明は、簡単な構造で上記問題を解決し、スライドレールの最大伸長が適宜選択可能で、安定性、強度面でも優れ、消音効果を必要とする場合と、そうでない場合を簡単に選択することができる、スライドレールの消音装置を提供する事を課題とする。
【０００５】
【課題を解決する為の手段】
上記課題を解決する為、本発明が手段とする第一の特徴は、外側レールと、該外側レールとボールリテーナーを介して互いに摺動自在となした内側レールよりなり、ボールリテーナーの基板に、内側レールの摺動範囲を規制するリテーナーストッパーが内側レールのボール案内溝側に突出して形成され、内側レールの基板に、上記リテーナーストッパーに当接可能な位置に内側レールストッパーが形成され、内側レールの最大伸長時に、リテーナーストッパーと内側レールストッパー間に位置する弾性材料からなる消音部材を内側レールに着脱自在に設けたスライドレールの消音装置において、消音部材は、内側レールの最大伸長時にリテーナーストッパーに当接する第１当接面と、嵌入溝と、第２当接面と、内側レールの摺動時にボールリテーナーの基板に接触しない厚みに形成された連設部と、内側レールの基板側で折曲片側の第１当接部の角部から突出し、内側レールの基板と折曲片の角部内面に圧接する圧接突縁が一体に形成され、内側レールストッパーが、ボールリテーナーの基板が通過可能な所定間隔を有して、内側レールの基板後端部で、ボール案内溝側両端部を外側レールの基板方向に折り曲げて形成されているときは、前記消音部材は、内側レールストッパーに嵌入溝が嵌入して取付けられ、第２当接面が内側レールの収納時に外側レールの後端ストッパーに当接し、内側レールストッパーが、ボールリテーナーの基板が通過可能な所定間隔を有して、内側レールの基板所定位置に摺動方向を基線として外側レールの基板方向に突出して形成されている時は、圧接突縁が内側レールの基板と折曲片の角部内面に圧接して内側レールストッパーの伸長方向側に位置して取付けられ、内側レールが最も引き出された時、前記嵌入溝がクッション効果を発揮するものである。
【０００８】
【実施例】
以下、第１実施例を図１から図４に基づいて説明する。
図１において、符号１００はスライドレールを示し、符号１は外側レールを示し、符号２は内側レールを示し、符号３はボールリテーナーを示している。
【０００９】
外側レール１は、金属製の細長条板の短手両端部を内向き円弧状に折り曲げて形成された内面長手方向（摺動方向）にボール案内溝を有する折曲縁１１、１１と、基板１２より断面略Ｃ字形に形成されている。
そして、摺動方向の引き出し側前端部に、ボールリテーナー３の摺動方向の引き出し側の前端部が後記するストッパー部材４を介して当接し、ボールリテーナー３の摺動範囲を規制する外側レール前端ストッパー１３が内側レール２方向に突出して形成され、摺動方向の収納側後端部に、内側レール２が外側レール１に完全に収納された時に、その後端部が後記する消音部材５を介して当接する外側レール後端ストッパー１４が内側レール２方向に突出して形成されている。
符号１５・・・はＯＡ機器等の部材との連結孔を示している。
【００１０】
内側レール２は外側レール１とほぼ同長で、外側レール１内でボールリテーナー３を介して摺動自在な大きさの、金属製の細長条板の短手両端部を外向き円弧状に折り曲げて形成された外面長手方向（摺動方向）にボール案内溝を有する折曲縁２１、２１と基板２２より、断面略Ｃ字形に形成されている。
そして、基板２２の収納側後端部の短手方向の両端部に、内側レール２が最大伸長時に、消音部材５を介して、ボールリテーナーの一部に当接すると共に、内側レール２が外側レール１に完全に収納された時、前記外側レール後端ストッパー１４に消音部材５を介して当接する内側レールストッパー２３、２３が、外側レール１の基板１２方向に突出して形成されている。
符号２４・・・は、ＯＡ機器等の部材との取付孔を示している。
【００１１】
ボールリテーナー３は、上記両レール１、２の半分程度の長さの金属製の細長条板の短手端部を、両レール１、２の折曲縁１１、１１、２１、２１間に突出せしめたＬ字形の折曲片３１、３１と、折曲片３１、３１間に略コ字形に形成された基板３２より構成され、折曲片３１、３１の長手方向にボール３３・・・を回転自在に保持している。
そして、基板３２の短手方向の寸法は、前記内側レールストッパー２３、２３間の寸法よりやや小さく形成され、基板３２の一部を折曲片３１、３１側に一体に突出せしめて、内側レールストッパー２３、２３の摺動方向の軌道上に位置するリテーナーストッパー３４、３４が形成されている。
【００１２】
前記ストッパー部材４は、外側レール前端ストッパー１３に嵌入する嵌入孔４１と、内側レール２の折曲片２１、２１側の円弧状頂部４２、４２と摺動方向の緩衝ストッパー部４３、４３より弾性材料（実施例ではゴム材）にて一体に形成されている。
そして、内側レール２の折曲片２１、２１の所定位置に、互いの離間寸法が前記円弧状頂部４２、４２間の寸法よりやや小さ目となるよう形成された互いに内側方向に突出する保持突起２０、２０が、弾性に抗して引き出し方向に乗り越えた時に、ボールリテーナーの前端が緩衝ストッパー部４３に当接して、ボールリテーナーの引き出し方向への摺動は停止し、収納方向に所定の摺動力を付与しない限り、内側レール２の収納方向へ摺動は阻止され、内側レール２は外側レール１に対し最大伸長状態が保持される。
【００１３】
前記消音部材５は、図４に示す如く、前記内側レールストッパー２３、２３が嵌入する嵌入溝５１、５１と、リテーナーストッパー３４、３４に当接する第１当接面５２、５２を有する第１当接部５３、５３と、内側レール２の収納時に外側レール１の後端ストッパー１４に当接する第２当接面５４、５４を有する第２当接部５５、５５と、第１、第２当接面部５３、５３、５５、５５間に位置し、内側レール２の摺動時ボールリテーナー３の基板３２に接触しない厚みに形成された連設部５６と、内側レール２の基板２２側で折曲片２１、２１側の第１当接部５３、５３の角部から突出し、折曲片２１、２１の角部内面に圧接する圧接突縁５７、５７を弾性を有する材料（実施例ではゴム材）より一体に形成され、内側レールストッパー２３、２３に着脱自在に取付けられている。
尚、第１当接部５３、５３、第２当接部５５、５５間の寸法は、内側レール２の摺動時にボールリテーナー３の基板３２に接触しないよう、ボールリテーナー３の基板３２の短手方向の寸法よりやや大きく形成されている。
【００１４】
第１実施例は上記の如く構成されており、外側レール１を固定側とし、内側レール２を移動側として、引き出し方向に摺動させると、ボールリテーナ−３は内側レール２の摺動方向に内側レール２の摺動距離の半分の距離を移動し、内側レール２の保持突起２０、２０が、ストッパー部材４の円弧状頂部４２、４２を乗り越えると同時に、ボールリテーナー３の引き出し方向前端が、ストッパー部材４の緩衝ストッパー部４３に当接し、更に、内側レール２の内側レールストッパー２３、２３に設けた消音部材５の第１当接面５２、５２がリテーナーストッパー３４、３４に当接してスライドレール１００は最大伸長状態となり、内側レール２およびボールリテーナー３の摺動は停止する。
【００１５】
次に、内側レール２に収納方向に所定の摺動力を付与し、保持突起２０、２０をストッパー部材４の円弧状頂部４２、４２を乗り越えさせ、内側レール２を摺動せしめると、ボールリテーナー３も前記同様収納方向に移動し、やがて、内側レールストッパー２３、２３に設けた消音部材５の第２当接面５４、５４が外側レール後端ストッパー１４に当接して内側レール２は外側レール１に完全に収納された状態となる。
尚、実施例では、外側レール１を固定側とし、内側レール２を移動側としているが、使用個所によっては逆の使い方も可能である。
【００１６】
次に、第２実施例を図５、図６に基づいて説明する。
第２実施例のスライドレール１００の、外側レール１、ストッパー部材４、ボールリテーナー３、内側レール２の基本構造は第１実施例と同様に構成されている。
すなわち、第１実施例の内側レールストッパー２３、２３は、基板２２の収納側後端部の短手方向の両端部を、外側レール１の基板１２方向に折り曲げて突出せしめているので、重量物のスライドレール１００として使用されると、ボールリテーナーストッパー３４、３４との衝突力によって、長年の間に徐々に折り曲げ角度が開きぎみとなり、内側レール２の摺動に支障をきたす事がある。
これを防止する為、第２実施例では重量物用に内側レールストッパーの構造を変更する事により強度アップを計り、変更された内側ストッパー６、６に対応して消音部材５の取り付け位置を変更している。
【００１７】
第２実施例の内側レールストッパー６、６は、対向してボールリテーナー３の基板３２より広い間隔を有して、内側レール２の基板２２の一部を、摺動方向を基線として、外側レール１の基板１２側に突出せしめる事により構成されている。
すなわち、ボールリテーナー３のリテーナーストッパー３４、３４の形成位置と、内側レールストッパー６、６の形成位置を選択する事により、ボールリテーナー３の長さが従来と同じであっても、内側レールの引き出し量を適宜選択できるだけでなく、内側レール２が外側レール１に完全に収納された状態（最短縮小状態）での安定性がよく構造が簡単であるので安価に製作出来る。
【００１８】
第２実施例の消音部材５は第１実施例と同一の構成で、内側レールストッパー６、６の引き出し方向側で、基板２２の内面に着脱自在に取り付けられる。
すなわち、第２当接部５５、５５が内側レールストッパー６、６側に位置するように、内側レール２の折曲片２１、２１間に押し込むと、消音部材５は弾性変形した後、圧接突縁５７、５７が、内側レール２の基板２２と折曲片２１、２１の角部内面に圧接して内側レール２に取り付けられる。
【００１９】
第２実施例は上記の如く構成され、内側レール２が最も引き出された時（最大伸長状態）、消音部材５は内側レールストッパー６、６とリテーナーストッパー３４、３４間に位置して、内側レールの摺動を停止させる。この時消音部材５の嵌入溝５１、５１はクッション効果を発揮し、重量物の運動エネルギ−の吸収に役立つ。
【００２０】
【発明の効果】
特許請求の範囲の請求項１に記載の発明によれば、ボールリテーナーの基板に、内側レールの摺動範囲を規制するリテーナーストッパーが内側レールのボール案内溝側に突出して形成され、内側レールの基板に、上記リテーナーストッパーに当接可能な位置に内側レールストッパーが形成されているので、リテーナーストッパーの形成位置と、内側レールストッパーの形成位置を選択する事により、ボールリテーナーの長さが従来と同じであっても、内側レールの引き出し量を適宜選択できるだけでなく、内側レールが外側レールに完全に収納された状態（最短縮小状態）での安定性がよく、構造が簡単であるので安価に製作出来る。さらに、内側レールの最大伸長時に、リテーナーストッパーと内側レールストッパー間に位置する弾性材料からなる消音部材を内側レールに着脱自在に設けているので、従来のようにボールリテーナー全体の厚みに影響を与えず、内側レールの内面側から部材との連結に用いられる連結ネジも市販品を使用する事ができ、コストダウンにつながる。
さらに、消音部材によって、スライドレールの最大伸長時に不快な金属音の発生がなく、消音部材を着脱自在とする事により、消音効果を有するスライドレールとそうでないスライドレールの選択を適宜行う事ができる。
【００２１】
又、消音部材は、嵌入溝と、内側レールの最大伸長状態でリテーナーストッパーに当接する第１当接面と、嵌入溝の収納方向側に位置する第２当接面と、第１、第２当接面間に位置し、内側レールの摺動時ボールリテーナ一の基板に接触しない厚みに形成された連設部が弾性を有する材料より一体に形成されているので、安価に製作出来、その着脱作業が容易である。
【００２２】
さらに、内側レールストッパーが、ボールリテーナーの基板が通過可能な所定間隔を有して、内側レールの基板後端部で、ボール案内溝側両端部を外側レールの基板方向に折り曲げて形成されているときは、内側レールストッパーに嵌入溝が嵌入して取付けられ、第２当接面が、内側レールの収納時に外側レールの後端ストッパーに当接する場合と、内側レールストッパーが、ボールリテーナーの基板が通過可能な所定間隔を有して、内側レールの基板所定位置に、摺動方向を基線として外側レールの基板方向に突出して形成されているときは、圧接突縁が内側レールの基板と折曲片の角部内面に圧接して内側レールストッパーの伸長方向側に位置して取付けられ、内側レールが最も引き出された時、前記嵌入溝がクッション効果を発揮するものである。
すなわち、消音部材は、内側レールストッパーの形状に影響されず、対応する事ができる。
【図面の簡単な説明】
【図１】（Ａ）本発明の第１実施例のスライドレールの側面図
（Ｂ）図１（Ａ）のＡ−Ａ線断面図
【図２】図１（Ａ）のＢ−Ｂ線断面図
【図３】図１（Ａ）のＣ−Ｃ線拡大断面図
【図４】消音部材の斜視図
【図５】（Ａ）本発明の第２実施例のスライドレールの側面図
（Ｂ）図５（Ａ）のＤ−Ｄ線断面図
【図６】図５（Ａ）のＥ−Ｅ線断面図
【図７】図５（Ａ）のＦ−Ｆ線拡大断面図
【符号の説明】
１                    外側レール
１１                  折曲片
１２                  基板
２                    内側レール
２１                  折曲片
２２                  基板
２３                  内側レールストッパー
３                    ボールリテーナー
３２                  基板
３４                  リテーナーストッパー
３５                  リテーナー第１ストッパー
５                    消音部材
５１、５１            嵌入溝
５２、５２            第１当接面
５３、５３            第１当接部
５４、５４            第２当接面
５５、５５            第２当接部
５６                  連設部
５７、５７            圧接突緑
６                    内側レールストッパー
【図１】
0003909180.tif 000002
【図２】
0003909180.tif 000003
【図３】
0003909180.tif 000004
【図４】
0003909180.tif 000005
【図５】
0003909180.tif 000006
【図６】
0003909180.tif 000007
【図７】
0003909180.tif 000008